(57)【特許請求の範囲】
【請求項１】
物品の挟持は複数の揺動片と複数のばねからなり、前記複数の揺動片は、中央部に揺動支点を基点とした軸部と外側に複数のばね受け溝を有し、前記複数のばね受け溝の間には、一定の巾を設けるとともに、前記複数のばねの作用線が、前記揺動片の挟持部の閉状態において前記揺動支点より前記挟持部側に位置し、前記挟持部の開状態においては前記揺動片の係止部側に位置するように設け、一端部に前記挟持部と把持部を、他端部に前記係止部と把持部を備えて前記軸部で組み合わされ、前記複数のばねは、曲折形成されて付勢部と、押え部と、ずれ止め部を備え、前記複数の揺動片の長手方向の両サイドに前記ばねの付勢部が位置し、前記複数のばね受け溝に前記押え部が夫々緩挿されて前記ずれ止め部で位置決めされ、前記挟持部と係止部が開状態と閉状態に交互に切り替わる構造を特徴とする洗濯挟み。  
【請求項２】
前記複数のばね受け溝は、前記揺動片の長手方向に直交状態で設け、前記揺動支点から前記ばねの作用線までの移動距離は、前記係止部の閉状態時に対し、前記挟持部の閉状態時が長くなる配置の構造を特徴とする請求項１に記載の洗濯挟み。
【請求項３】
前記複数の揺動片の中央部外側方向に凸起部を設け、前記凸起部の略頂点部分に一定の巾を有した前記複数のばね受け溝を設けたことを特徴とする請求項１又は請求項２に記載の洗濯挟み。
【請求項４】
前記複数のばねの付勢部が、略V字状で若干湾曲状に形成され、中心部に吊り具用の円弧部を設けたことを特徴とする請求項１から請求項３のいずれかに記載の洗濯挟み。    
【発明の詳細な説明】
【技術分野】
【０００１】
本発明は、洗濯物を干すときに用いる洗濯挟みに関するものである。
【背景技術】
【０００２】
従来、ばねの弾性力を利用して物品を挟持する洗濯挟み等においては、一対の揺動片が軸部で支持され、揺動片の一端部がリング状のばねの付勢力で挟持部が近接して挟持されるものが知られている。このような洗濯挟みでの洗濯物の挟持操作は、洗濯挟みの把持部を親指や人差し指で把持し、ばねの付勢力に抗する力を加え、把持部同士を近接させて挟持部を開き、開いた挟持部へ洗濯物を入れて、把持部に加えた力を緩め、洗濯物を挟持する。このような挟持操作の場合、一方の手で洗濯挟みの把持部を把持し、他方の手で挟持部へ洗濯物を入れる動作が必要となる。その結果、片手の不自由な人にとっては扱い難いものになっている。そのため、片手のみでも洗濯物等（以下被挟持物）を挟持可能な以下の提案がなされている。
【０００３】
例えば、特許文献１の挟持具は、把持部と、挟持部と、移動規制部に凹状の移動規制面を備えた一対の挟持片間に、連結軸の軸端部から互いに相対する軸周方向に向かって夫々突設された一対の回動規制片を有する連結軸本体に半月状で内側の外周近傍に複数の摺動ガイド部を持つ複数のフランジが平行に連結され、該フランジ内の前記連結軸本体に断面がＣ字形状の回動部と一体となった複数の回動摺動部が組み合わされて移動軸部となり、前記複数の回動摺動部が、前記移動規制部の移動規制面と当接するように介設され、前記挟持片に具備された弾性バネの付勢力により、把持部と、挟持部が開状態と閉状態に交互に切り替わる構造が記されている。  
【０００４】
特許文献２の洗濯挟みは、一対の揺動片の中央部に設けられた突起部と円弧穴部で組み合わされて揺動可能となり、揺動支点を挟んで一方側に挟持部が、他方側に把持部が設けられ、前記一対の揺動片の外側で、揺動支点を挟んで長手方向の両端に係止部を有した案内溝が設けられ、Ｃ字形状で両端に円弧状の溝当接部を備えたバネが、前記案内溝内に緩挿され、該案内溝内で前記バネの当接部の位置が、挟持部の開閉状態に応じて揺動支点を基点に、挟持部寄りの前記係止部と、把持部寄りの前記係止部間にわたって摺動可能となり把持部と、挟持部が開状態と閉状態に交互に切り替わる構造が記されている。
【０００５】
特許文献３の挟持具は、一対の揺動片の中央部に設けられた凸部と凹部で組み合わされた軸部で揺動可能となり、該軸部の揺動支点を挟んで一方側に挟持部が、他方側に把持部が、中央部外側にばね保持部が設けられ、Ｃ字形状のばねの先端部が前記ばね保持部に緩挿され、前記一対の揺動片に付勢力が加えられる付勢手段が具備され、前記軸部の凸部に放射方向の側に突起部が、前記軸部の凹部に隆起部が設けられ、前記一対の揺動片の挟持部の開閉時に凸部の突起部が凹部の隆起部をばねの付勢力に抗して乗り越える動作が行われ、把持部と、挟持部が開状態と閉状態に交互に切り替わる構造が記されている。
【０００６】
特許文献４の洗濯物干しピンチは、一対の揺動片の中央部に設けられた突起部と円弧穴部で組み合わされて揺動可能となり、揺動支点を挟んで一方側に挟持部と、他方側につまみ部と、中央部の外側に揺動片と直交する突起溝のバネ支持駒が設けられ、該バネ支持駒にリング状バネが装着されて前記揺動片に付勢力が加えられ、前記揺動支点を基点にバネの作用線が移動し、挟持部と、つまみ部が交互に開閉する構造が記されている。  
【０００７】
特許文献５の反転型の洗濯挟みは、一対の揺動板の中央部に設けられた凸支点と、凹支点と、はめ合い部で組み合わされて揺動可能となり、揺動支点を挟んで一方側の端部に挟み部と、他方側の端部に開き部が設けられ、該揺動板の開き部近傍と、別の揺動板の挟み部近傍に突起が設けられ、該突起に略Ｓ字状に曲折形成されたバネが掛止されて前記揺動片に付勢力が加えられ、前記揺動支点を基点に前記揺動板の端の係止部を直線で結んだ線が移動し、挟み部と開き部が交互に開閉する構造が記されている。  
【先行技術文献】
【特許文献】
【０００８】
【特許文献１】特開２０１２−１０２７６３号公報
【特許文献２】特開２００６−１９２０７６号公報
【特許文献３】特開２０１４−５７６１２号公報
【特許文献４】特開２００８−２９５９８６号公報
【特許文献５】特開２００９−１８３６５８号公報
【発明の概要】
【発明が解決しようとする課題】
【０００９】
特許文献１に記載された挟持具は、把持部と、挟持部と、移動規制部に凹状の移動規制面を備えた一対の挟持片間に、複数のフランジ内の連結軸本体に断面がＣ字形状の回動部と一体となった複数の回動摺動部が組み合わされて移動軸部となり、複数の回動摺動部により、把持部と、挟持部の開閉は容易であるが、構造が複雑で、部品のコストアップ、部品組み立て時間のアップ等により、製品が高価になるという問題があった。
【００１０】
特許文献２に記載された洗濯挟みは、揺動可能な、一対の揺動片の外側長手方向に、バネが摺動できる案内溝が設けられ、Ｃ字形状のばね両端の溝当接部が案内溝内を摺動して、挟持部と把持部側が交互に開閉する構造であるが、バネ両端の溝当接部が摩擦抵抗に抗してスムースな摺動で移動させるためには必要以上に挟持部と把持部の開き角度が大きくなり、使い難さと、摺動による耐久性に問題があった。
【００１１】
特許文献３に記載された挟持具は、一対の揺動片を揺動させる中央部で組み合わされた軸部の凸部に、放射方向の側に突出する突起部が設けられ、軸部の凹部に、隆起部が設けられ、隆起部と突起部の設けられた目的は、挟持部が閉状態時に、該挟持部側のバネの付勢力を増やすため、揺動支点の垂線から、バネの作用線（揺動片に付勢力を加えるバネ両端の押え部を結んだ線）までの距離が長くされ、把持部の閉状態時において、揺動支点の垂線から、バネの作用線までの距離が短くなり、把持部が開状態になり易く、該把持部の閉状態を安定するため設けられ、一対の揺動片の挟持部の開閉時に前記凸部の突起部が、凹部の隆起部を、ばねの付勢力に抗して乗り越える動作が行われるが、該乗り越え動作時にバネの付勢力に抗する余分な力を必要とし、挟持部と、把持部を閉じる時スムースな動作ができない。又、突起部と隆起部は構造上小さくなり、耐久性にも問題があった。
【００１２】
特許文献４に記載された洗濯物干しピンチは、揺動可能な、一対の揺動片の央部の外側に揺動片と直交する突起溝のバネ支持駒が設けられ、リング状のバネが装着されて揺動片に付勢力が加えられ、揺動支点を基点にバネの作用線が移動し、挟持部と、つまみ部が交互に開閉する構成であるが、揺動支点からバネの作用線までの距離が短く、挟持部にバネの付勢力が十分に加わり難くいという問題があった。                                
【００１３】
特許文献５に記載された反転型の洗濯挟みは、揺動可能な、一対の揺動板の開き部近傍と、別の揺動板の挟み部近傍に突起が設けられ、該突起に略Ｓ字状に曲折形成されたバネが掛止された構成は、揺動支点からバネの作用点までの距離が短く、バネが斜め掛け状態のため、挟み部にバネの付勢力が十分に加わり難くいという問題があった。
【００１４】
本発明は、このような従来の構成が有していた問題を解決しようとするものであり、挟持部に十分な付勢力が加わり、該挟持部の開閉がスムースにできて、洗濯挟み本体を吊り下げ可能な構造にして被挟持物を安定した状態で取付けでき、安価に製造可能な洗濯挟みの提供を目的とする。
【課題を解決するための手段】
【００１５】
洗濯挟みは、複数の揺動片と、複数のばねの２種類の部品からなり、前記複数の揺動片は、中央部に揺動支点を基点とした軸部と該軸部の外側に前記揺動支点をまたいで、前記揺動片の長手方向と直交した状態で、複数のばね受け溝を有し、前記複数のばね受け溝の間には、一定の巾を設けるとともに、前記複数のばねの作用線が前記揺動片の挟持部の閉状態において前記揺動支点より前記挟持部側に位置し、前記挟持部の開状態においては前記揺動片の係止部側に位置するように設け、一端部に挟持部と把持部を他端部に係止部と把持部を備え、前記軸部で組み合わされて揺動が可能となり前記複数のばねは、曲折形成されて付勢部と、押え部と、ずれ止め部を備え、前記複数の揺動片の両サイドの長手方向に前記付勢部が略平行に位置し、前記複数のばね受け溝に前記押え部が夫々緩挿されて、前記ずれ止め部で位置決めされ、前記複数のばね受け溝は、前記揺動片の長手方向に直交状態で設け、前記揺動支点から前記ばねの作用線までの移動距離は、前記係止部の閉状態時に対し、前記挟持部の閉状態時が長くなる配置で、前記バネの付勢部が前記押え部を介して、前記複数の揺動片に強い付勢力が加わり前記両端の挟持部と係止部が開状態と閉状態に交互に切り替わる構造を要旨とする。
【００１６】
前記複数の揺動片の中央部で外側方向に向けて凸起部が設けられ、前記凸起部の略頂点部分に、前記揺動片の長手方向に直交して一定の巾を有した複数のばね受け溝が設けられ、前記揺動片の挟持部が閉状態時に前記揺動支点を基点に角度が付き、前記揺動支点の垂線と前記複数のばねの作用線（前記揺動片に付勢力を加える前記バネの両端の押え部間を結んだ線）までの距離が長くなり、挟持部に十分な付勢力が加わることを要旨とする。
【００１８】
前記複数のばねの付勢部が略V字状で若干湾曲状に形成され、中心部に吊り具の外径に合わせた円弧部が設けられ、前記洗濯挟みが、前記吊り具と直角状態に吊り下げられ、被挟持物を持った手で、挟持部を容易に閉状態にできる片手操作が可能な構造を要旨とする。
【発明の効果】
【００１９】
本発明によれば、洗濯挟みの揺動片に付勢力を加えるばねの複数化と、揺動片の凸起部の略頂点部分に複数のばね受け溝が設けられ、挟持部の閉状態時に揺動支点の垂線から複数のばねの作用線までの距離が長くなり、揺動片の挟持部に十分な付勢力が加わり、被挟持物の確実な保持と、揺動片の揺動動作時、ばね受け溝の底部が回動し、ばねの移動がスムースに行われて指先の力が弱い高齢者等であっても、被挟持物の片手挟持作業が容易となり、少数部品で安価に製造可能となった。さらに、吊り具に対する洗濯挟みの取付け向きが複数化され、好みの向きに選択可能となった。
【図面の簡単な説明】
【００２０】
【図１】本発明の洗濯挟みで挟持部が閉じた状態を示す正面図である。
【図２】本発明の洗濯挟みで挟持部が開いた状態を示す正面図である。
【図３】本発明の洗濯挟が動作中で挟持部が半開状態を示す正面図である。
【図４】図３のＡ−Ａ断面図である。
【図５】ばねの全体形状を示す斜視図である。
【図６】本発明の洗濯挟みを吊り具に取付けた第一使用例を示す正面図である。
【図７】図６のＢ−Ｂ断面図である。
【図８】本発明の洗濯挟みを吊り具に取付けた第二使用例を示す左側面図である。
【図９】図８のＣ−Ｃ断面図である。
【図１０】ばねの形状を変更した他の例で、挟持部が半開状態を示す正面図である。
【発明を実施するための形態】
【００２１】
本発明の実施の形態に係わる洗濯挟みについて、以下図１〜図１０を参照して詳細に説明する。
【００２２】
図１〜図４に示す、洗濯挟み１は略長方形を基準に形成された揺動片２Ａ，２Ｂと、曲折形成されたばね３Ａ，３Ｂで構成され、揺動片２Ａ，２Ｂは同一形状で、揺動片２Ｂが反転して軸部２２で組み合わされて揺動可能となり、ばね３Ａ，３Ｂは同一形状に曲折形成され、付勢部３１が揺動片２Ａ，２Ｂの両サイドで軸部２２から係止部２４側に略平行に位置し、揺動片２Ａ，２Ｂのばね受け溝２７ａに、ばね３Ａの押え部３３が、ばね受け溝２７ｂに、ばね３Ｂの押え部３３が緩挿され、揺動片２Ａ，２Ｂに付勢力が加わり揺動支点２１を基点として軸部２２が回動し、挟持部２３が図１の閉状態と、図２の開状態に交互に切り替わり、その状態で停止できて片手操作が可能な構造である。
【００２３】
揺動片２Ａ，２Ｂとばね３Ａ，３Ｂは同一形状であるため部品単体での説明は、状況により、揺動片２Ａと、ばね３Ｂで説明する。
【００２４】
揺動片２Ａに使用される素材は、特に限定はされないが、ポリプロピレン樹脂、或いは他の樹脂での射出成型、又は、アルミニュウム等の金属材料の切削加工により、所望の形状に形成することは可能である。
【００２５】
図３と図４に示す揺動片２Ａの軸部２２は、複数の半円形の凸部と、複数の半円形の凹部からなり、揺動片２Ｂと互いに嵌り込んで噛み合い、凸部と凹部が合わさって円形状態となり、軸部２２が形成され、円形の中心部が揺動支点２１となり、回動可能となる。
【００２６】
図３に示す揺動片２Ａの凸起部２６は、揺動支点２１からばね受け溝２７ａ，２７ｂの底部までの距離を長くするために設けられ、ばねの付勢力に耐える強度が確保できれば、材料を最小限にできる形状に変更可能である。
【００２７】
図３に示す、ばね受け溝２７ａ，２７ｂは、凸起部２６の略頂点部分に位置し、揺動片２Ａの長手方向に対し、直交状態で、一定の間隔をおいて平行に複数設けられ、ばね受け溝２７ａ，２７ｂの巾は、図５に示す、ばね３Ａの押え部３３が緩挿でき、深さは押え部３３が飛び出すことのない寸法で、底部は、ばね３Ａの直径より僅かに大きな半円形で、ばね受け溝２７ａの底部が回動できる寸法に形成されている。  
ばね受け溝２７ａ，２７ｂの間隔は、揺動片２Ａ，２Ｂのサイズ、揺動角度、揺動支点２１からばね受け溝の２７ａ，２７ｂまでの距離により適宜設定は可能である。
【００２８】
図１と図２に示す挟持部２３は、略平面状の表面を有して、被挟持物に当接する挟持面
は、挟持した被挟持物が容易に外れないように多数の小さな突起（不図示）が配設されることが望ましい。  
【００２９】
図１と図２に示す係止部２４は、略凸状の湾曲面を有して揺動片２Ａ，２Ｂの閉状態時に略凸状の湾曲面の表面で係止するように形成されている。
【００３０】
図１から図３に示す把持部２５ａ，２５ｂは、挟持部２３の閉状態、又は、係止部２４が閉状態時に指で把持して、挟持部２３、又は、係止部２４を開状態にするための部位で、指で把持を容易にするため、略凹状の湾曲面を有して形成されることが望ましい。  
【００３１】
図６〜図８に示す長孔２８は、揺動片２Ａの長手方向の中心部で、軸部２２と係止部２４間に、両端が半円形で抜き勾配を有して形成されている。
【００３２】
図５に示すばね３Ａは、図４に示す断面が円形の、ばね用線材（ピアノ線等）で、付勢部３１が略Ｖ字状で若干湾曲状に形成され、円弧部３２は、略Ｖ字の中心部が図９の吊り具４ｂの外径に合わせた円弧状に形成されている。
【００３３】
押え部３３とずれ止め部３４は、付勢部３１の両端に略コの字状に形成され、図５に示す、付勢部３１と直角に繋がり、ばね受け溝の２７ａ，２７ｂ内に押え部３３が緩挿できる巾に合わせたサイズに形成され、ばね３Ａの位置決めとなる。
【００３４】
図３は洗濯挟み１が、揺動片２Ａと２Ｂが組み合わされた状態の動作中で、挟持部２３が半開状態で揺動片２Ａ，２Ｂが平行状態を示しており、この時、ばね受け溝２７ａは、垂線ＣＬより挟持部２３側へ離間した状態に位置し、ばね受け溝２７ｂは、係止部２４側で垂線ＣＬに近接した状態に位置した状態で構成されており、ばね３Ａの押え部３３が、ばね受け溝２７ａ内に、ばね３Ｂの押え部３３がばね受け溝２７ｂ内に緩挿されて付勢部３１で、揺動片２Ａ，２Ｂが付勢されている。この状態で、付勢部３１は揺動片２Ａ，２Ｂの両サイドに平行で、軸部２２から係止部２４側に位置し、図２に示す、係止部２４が閉状態時において付勢部３１が把持部２５ｂ間内に配置され、図４に示す、揺動片２Ａ，２Ｂとの間に若干の隙間（０．５〜１．０ｍｍが望ましい）を有して取付けられる。
【００３５】
図３と図４に示す、ずれ止め部３４と、揺動片２Ａ，２Ｂのばね受け溝２７ａ，２７ｂ間に若干の隙間（０．５〜１．０が望ましい）が設けられ、揺動片２Ａ，２Ｂの揺動動作が容易で、ばね３Ａ，３Ｂの押え部３３が、ばね受け溝の２７ａ，２７ｂ内へ容易に緩挿し、取付けできる。取付け後、ばね３Ｂのずれ止め部３４の先端が、揺動片２Ａ，２Ｂの揺動中においても、ばね３Ａの付勢部３１に接触しない寸法に形成されている。
【００３６】
図３の挟持部２３が半開状態から、把持部２５ａの把持により、軸部２２が回動し、ばね３Ａ，３Ｂの押え部３３を介して挟持部２３側に付勢力が加わり、ばね３Ａ，３Ｂの付勢力で図１に示す、挟持部２３が挟持され閉状態となり、該閉状態が維持される。
【００３７】
図１に示す、挟持部２３の閉状態において、ばね３Ａ，３Ｂの押え部３３の作用線Ｌａ，Ｌｂ（揺動片２Ａ，２Ｂに付勢力を加えるばね３Ａ，３Ｂの押え部３３間の中心部を結んだ線）は揺動支点２１の垂線ＣＬから挟持部２３側となり、作用線Ｌａから揺動支点２１の垂線ＣＬまでの距離が作用線Ｌａ，Ｌｂの移動した距離で、ばね３Ａ，３Ｂが付勢力を加え得る挟持部２３側の最大距離（以下移動距離）Ｗａとなる。  
【００３８】
ばね３Ａと３Ｂが設けられたことで、作用線ＬａとＬｂになり、ばね受け溝２７ａと２７ｂ間に一定の巾が設けられ、作用線ＬａとＬｂ間にも一定の巾ができ、図１に示す、作用線Ｌａから垂線ＣＬまでの移動距離Ｗａを長く設定することができる。  
【００３９】
さらに、揺動片２Ａ，２Ｂの外側方向に凸起部２６が設けられ、揺動支点２１からばね受け溝２７ａ，２７ｂの距離が長くなり、図１に示す、揺動片２Ａ，２Ｂの挟持部２３が閉状態になった時点で揺動支点２１を基点に、揺動片２Ａ，２Ｂに角度が付き、ばね受け溝２７ａと２７ｂが、垂線ＣＬから離間して作用線Ｌａ，Ｌｂが挟持部２３側に接近し、前述した複数のばね３Ａ，３Ｂが設けられて得られた効果と合わせて、移動距離Ｗａが長くなり、ばね３Ａ，３Ｂの挟持部２３に強い付勢力を有効に加えることができる。
【００４０】
図２の状態は、図１の挟持部２３の閉状態から揺動片２Ａ，２Ｂの把持部２５ｂを把持し、図３の状態を経て係止部２４が閉状態となり、挟持部２３が全開（開状態）となった状態である。この状態で、揺動片２Ａ，２Ｂのばね受け溝２７ａ，２７ｂと作用線Ｌａ，Ｌｂが係止部２４側に移動し、作用線Ｌｂから揺動支点２１の垂線ＣＬまでが移動距離Ｗｂとなる。
【００４１】
図２の作用線Ｌａは、垂線ＣＬとの離間が僅かであり、係止部２４に加わる付勢力は少ないが、作用線Ｌｂが垂線ＣＬより離間して係止部２４側寄りとなり、移動距離Ｗｂとなるため、ばね３Ａ，３Ｂの付勢力が十分に係止部２４に加わるため、把持部２５ａを把持して、ばね３Ａ，３Ｂの付勢力に抗した圧力を加えない限り、係止部２４が簡単に開状態になることはなく、係止部２４の閉状態が維持される。  
【００４２】
移動距離Ｗａと移動距離Ｗｂの長さの違いは、挟持部２３に厚物の被挟持物を挟持した場合、挟持部２３が若干開いても十分な付勢力を有し、厚物の被挟持物の安定保持を可能にするための必要な距離が確保された移動距離Ｗａとなっている。
移動距離Ｗｂは係止部２４が係止状態のまま保持されていればよいので、これに見合った付勢力が得られる移動距離Ｗｂとなっている。これ等の条件は、図３に示す、ばね受け溝２７ａ２７ｂに一定の間隔が設けられ、揺動支点２１の垂線ＣＬを基準に配置され、必要な付勢力が挟持部２３と係止部２４に夫々バランスよく配分され、挟持部２３と係止部２４が開状態と閉状態に交互に切り替わる構造となっている。
【００４３】
洗濯挟み１が、図１の挟持部２３の閉状態から図２の開状態に移行する際、把持部２５ｂが把持され、ばね３Ａ，３Ｂの付勢力が押え部３３を介して、ばね受け溝２７ａ，２７ｂの半円形の底部に加えられ、揺動片２Ａ，２Ｂの揺動による移動過程において、ばね受け溝２７ａ，２７ｂの底部が押え部３３の直線部を基点に回動することにより、滑らかな移動となり、把持部２５ｂの把持がスムースに行われ、図２の挟持部２３が開状態となって移行が終了する。その結果、揺動片２Ａ，２Ｂの揺動動作に無理が無く、指先の力が弱い高齢者等であっても、片手で把持部２５ａ，２５ｂの把持動作が安定し、かつ容易に行うことができる。さらに、揺動片２Ａ，２Ｂの耐久性を向上させることができる。
【００４４】
図６と図７は、洗濯挟み１を吊り具４ａに取付けた第一使用例を示し、吊り具４ａの金属棒又はロープ等が揺動片２Ａ，２Ｂの長孔２８に通されてハンガー等に固定され、洗濯挟み１が吊り具４ａと平行で垂直状態に吊り下げられ、長孔２８により垂直軸を基準とした方向への回動が防止でき、片手による被挟持物の挟持作業が容易になる。
【００４５】
長孔２８は、吊り具４ａが通された状態において、係止部２４が開状態と閉状態を容易に繰り返すことができ、揺動片２Ａ，２Ｂの強度が保たれるサイズに形成されればよい。
洗濯挟み１が吊り具４ａに通された状態では、左右に簡単に移動するため、移動抑制用
の間隔調整用リング（不図示）を揺動片２Ａ，２Ｂの揺動動作が可能な状態で、洗濯挟み１と、洗濯挟み１の間に入れることが望ましい。
【００４６】
図８と図９は、洗濯挟み１を吊り具４ｂに取付けた第二使用例を示し、吊り具４ｂは金属棒に一定の間隔で半円部４１が設けられ、該半円部４１の底部に、ばね３Ａの円弧部３２が係合して横方向のずれが防止され、ばね３Ｂの円弧部３２が直線部で支えられ、吊り具４ｂの金属棒に直交して洗濯挟み１が取付けられる。洗濯挟み１を略垂直状態に取付けるために、吊り具４ｂの半円部４１の底部と直線部分の段差寸法が調整される。
【００４７】
円弧部３２は、図９に示す、吊り具４ｂの金属棒の外径に合う円弧状のサイズに、ばね３Ａ，３Ｂの曲折形成時に調整され、洗濯挟み１の自重により、常に円弧部３２で支えられて吊り具４ｂに略垂直状態の吊り下げができ、図８に示す、複数の支えで、垂直軸を基準とした方向への回動が防止でき、片手による被挟持物の挟持作業が容易になる。
【００４８】
洗濯挟み１の使用方法は、図６、又は、図９に示す、挟持部２３が全開状態において、被挟持物を掌と中指、薬指、小指で保持して挟持部２３内に挿入すると同時に、親指と人差し指で把持部２５ａを把持し、挟持部２３を閉状態にして被挟持物が洗濯挟み１に保持される。
被挟持物を洗濯挟み１から外す場合は、開状態となった把持部２５ｂを片手で把持し、係止部２４が係止した図６、又は、図９の状態になれば、被挟持物は挟持部２３から自然に離脱する。これは、使用方法の一例であり、他にも色々な方法が考えられる。
【００４９】
以上、本発明について洗濯挟み１を実施形態として説明したが、被挟持物は洗濯物以外に、紙類、固形物等の挟持に用いることも可能であり、本発明は上記の実施形態に限定されるものではなく本発明の趣旨を逸脱しない範囲で種々の改変は可能である。
【００５０】
例えば、図１０に示す、ばね３Ａ，３Ｂの付勢部３１が非対称に形成され、押え部３３が、ばね受け溝２７ａと２７ｂに挿入され、付勢部３１の中央部と円弧部３２が同位置になる事例等もあり、ばねの形状も変更は可能である。
【００５１】
また、揺動片２Ａ，２Ｂは同一形状として説明したが、使用目的により別々の形状に変更は可能であり、吊り具４ａ，４ｂ以外の吊り具にも適応させることは可能である。
【符号の説明】
【００５２】
１  ・・・・・・・・・・・  洗濯挟み
２Ａ，２Ｂ  ・・・・・・・  揺動片
２１  ・・・・・・・・・・  揺動支点
２２  ・・・・・・・・・・  軸部
２３  ・・・・・・・・・・  挟持部   
２４  ・・・・・・・・・・  係止部
２５ａ，２５ｂ  ・・・・・  把持部
２６  ・・・・・・・・・・  凸起部  
２７ａ，２７ｂ  ・・・・・  ばね受け溝
２８  ・・・・・・・・・・  長孔
３Ａ，３Ｂ  ・・・・・・・  ばね  
３１  ・・・・・・・・・・  付勢部
３２  ・・・・・・・・・・  円弧部
３３  ・・・・・・・・・・  押え部
３４  ・・・・・・・・・・  ずれ止め部
４ａ，４ｂ  ・・・・・・・  吊り具
４１  ・・・・・・・・・・  半円部
ＣＬ  ・・・・・・・・・・  垂線
Ｌａ，Ｌｂ  ・・・・・・・  作用線  
Ｗａ，Ｗｂ  ・・・・・・・  移動距離
【要約】
【課題】
片手で被挟持物の挟持が簡単かつ安定的に行うことができ、安価に製造可能な洗濯挟みを提供する。
【解決手段】
洗濯挟み１は、複数の揺動片２Ａ，２Ｂと、複数のばね３Ａ，３Ｂからなり、把持部２５ｂが把持され、軸部２２が回動して、ばね３Ａの押え部３３が揺動支点２１の垂線ＣＬを通過して係止部２４側に移動し、ばね３Ａ，３Ｂの付勢部３１の付勢力で、係止部２４が閉じ、挟持部２３が全開状態となり安定する。この状態で被挟持物を片手で持ち、挟持部２３内に挿入と同時に被挟持物を持った手で、把持部２５ａが把持され、軸部２２が回動して、ばね３Ａ，３Ｂの押え部３３が揺動支点２１の垂線ＣＬを通過して挟持部２３側に移動し、ばね３Ａ，３Ｂの付勢部３１の付勢力で、挟持部２３が閉じて被挟持物が保持される。                                        
【選択図】図３【図１】
0005735688.tif 000002
【図２】
0005735688.tif 000003
【図３】
0005735688.tif 000004
【図４】
0005735688.tif 000005
【図５】
0005735688.tif 000006
【図６】
0005735688.tif 000007
【図７】
0005735688.tif 000008
【図８】
0005735688.tif 000009
【図９】
0005735688.tif 000010
【図１０】
0005735688.tif 000011